(57)【特許請求の範囲】
【請求項１】
室内の可燃物配置を配慮した設置位置で、室内天井部に煙感知器、ウオーターミスト噴出器、消火用落下シートを収納した格納部を設置すると共に、防災センターの制御系で、煙感知器の感知に基づき、前記ウオーターミスト噴出器を駆動し、前記格納部を開放して、前記消火用落下シートを可燃物上に落下するように制御し、
前記消火用落下シートは、折り畳み状態で、前記格納部に収納され、落下に際して、拡張され、かつ、旋回力を受けて、鉛直な軸周りに回転しながら落下するように構成されていることを特徴とする防火装置。
【発明の詳細な説明】
【０００１】
【発明の属する技術分野】
本発明は、室内での火災発生に際して、これを早期に感知し、自動消火するための防火装置に関するものである。
【０００２】
【従来の技術】
一般に、室内での防火には、天井部に装備した温度センサにより、室内での異常昇温を感知し、スプリンクラーを作動させて、消火に供するが、温度センサの感知までには相当の時間が必要で、火災規模が拡がる虞がある。そこで、温度センサに代えて、煙感知器が一部、採用されるようになったが、室内での喫煙によって、誤動作を起こす欠点がある。しかも、スプリンクラーが作動すると、その停止操作を行うまでは、散水を継続するので、後に、建物の水損が問題となる。
【０００３】
また、スプリンクラーに代えて、ウオーターミストを噴霧する手段も採用されている。これは、発火直後の消火に最適で、早期感知という点で、煙感知器との組合せに有効であり、しかも、水量が、スプリンクラーの１０分の１程度であるから、消火後の、あるいは、センサの誤動作が起こっても、その後の水損が少なくて済む利点がある。しかし、室内での可燃物が多く、延焼が早い場合には、水量不足で、消火しきれない可能性が考えられ、また、火炎が盛んであると、その上昇気流で、ミストが舞い上がり、消火機能が満足に果たされない場合もあることが考えられる。
【０００４】
【発明が解決しようとする課題】
本発明は、上記事情に基づいてなされたもので、その目的とするところは、煙感知器、ウオーターミストの組合せにおいて、可燃物に対するより効果的な防火作用を確保できる防火装置を提供することにある。
【０００５】
【課題を解決するための手段】
このため、本発明の防火装置では、図面に示す実施の形態でも明らかにしたように、室内の可燃物配置を配慮した設置位置で、室内天井部１に煙感知器２、ウオーターミスト噴出器３、消火用落下シート４を収納した格納部５を設置すると共に、防災センター６の制御系で、煙感知器２の感知に基づき、前記ウオーターミスト噴出器３を駆動し、前記格納部５を開放して、前記消火用落下シート４を可燃物上に落下するように制御することを特徴とする。
【０００６】
この場合、前記消火用落下シート４は、折り畳み状態で、前記格納部５に収納され、落下に際して、拡張され、かつ、旋回力を受けて、図３に矢印にて示すように、鉛直な軸周りに回転しながら落下することを特徴とする。
【０００７】
このような構成では、煙感知器が早期に発火を感知し、ウオーターミストを噴霧することができ、しかも、可燃物上に消火用落下シートを落として、酸素補給を遮断することができ、その上に散布されるミストで温度上昇を抑えることができるので、消火を確実に達成できる。また、その後、水損による被害も、スプリンクラーの場合と比較して、大幅に低減できるという効果が得られる。さらに、消火用落下シートを使用することで、ウオーターミストのみで消火するよりも少量の水量で消火することができる。従って、建物での貯水量が少なくて済み、また、建物の積載荷重を軽減できる。
【０００８】
【発明の実施の形態】
以下に、本発明の防火装置の実施の形態を、図面を参照して、具体的に説明する。この防火装置の基本構造は、図１に示すように、室内の可燃物配置を配慮した設置位置で、室内天井部１に煙感知器２、ウオーターミスト噴出器３、消火用落下シート４を収納した格納部５を設置すると共に、図２に概念的に示すように、防災センター６の、例えば、コンピュータなどの制御系７で、煙感知器２の感知に基づき、ウオーターミスト噴出器３を駆動し、格納部５を開放して、消火用落下シート４を可燃物上に落下するように制御する構成である。
【０００９】
ここで、上記ウォーターミストに関する参考文献を挙げておく。
１）「ハロン代替消火設備としての水系消火設備」
（「火災」VOL.45 No.6 1995年12月号 17P〜20P 社団法人日本火災学会発行学会誌）
２）「ウォーターミスト消火システムに関する国際会議の概要報告」
（「火災」VOL.44 No.3 1994年 6月号 31P〜33P 社団法人日本火災学会発行学会誌）
【００１０】
このウォーターミスト噴出器３のノズルは、水をウォーターミスト（微細水粒子；粒径が４０〜４００μｍの粒子）にして噴霧する。粒径が４００μｍより大きな水滴粒子になると、可燃性液体の液面を攪拌してしまう作用があり、可燃性液体の消火には有効でないといわれている。
汎用のスプリンクラーと対比すると、ウォーターミストは粒子径が微小で、かつ水量が少ない特質がある。
【００１１】
上記参考文献にも記載されているが、このウォーターミストノズルによる微細水粒子によって以下の各作用が得られる。
▲１▼冷却効果（燃焼性の除去）
ミスト状の水は、微粒子で総表面積が大きくなるため熱を吸収しやすい。したがって蒸発速度が速く、この蒸発過程において火災より熱を取り去る。燃焼を止めるためには３０〜６０％の燃焼熱を除去すればよいといわれる。
▲２▼酸素除去効果（酸素濃度の低下）
蒸発により膨張した水蒸気は、火の周りの空気を押し退け、酸素濃度を低下させ燃焼を止める。
▲３▼輻射熱遮断効果（輻射熱の減少）
ミスト状の水は、火元から放射された輻射熱を吸収し、周囲への燃焼およびフラッシュオーバーの発生を防止する。小さな粒子であるため、効果的に輻射熱を吸収する。
▲４▼遮煙、消煙効果
消火作用に伴い消煙作用が得られる。また、噴霧箇所の周囲への煙の拡散及び周囲からの煙の侵入を防止する遮煙作用がある。
【００１２】
この場合、煙感知器２、ウオーターミスト噴出器３、消火用落下シート４を収納した格納部５は、１組になっていて、必要組数が、同じ室内天井部１に設置される。また、消火用落下シート４は、折り畳み状態で、格納部５に収納され、落下に際して、拡張され、かつ、旋回力を受けて、回転しながら落下するように構成されている。
【００１３】
なお、この実施の形態では、消火用落下シート４は、図３に示すように、ループ状の関節部４１、および、ここで、弾性的に折り畳まれる円弧状弾性部材４２から構成された骨組み４ａと、これに装着された所望形状の不燃性シート４ｂとで構成されており、図４に示すように、折り畳まれて、格納部５内に収納され、格納部５の開閉蓋５ａの上に載せられている。
【００１４】
また、この実施例では、不燃性シート４ｂには、その周縁に、所要間隔で、小さな錘４ｃが多数、装着されており、これらは、消火用落下シート４の落下に際して、図５に示すような、格納部５に形成された放射螺旋状の案内路５ｂに沿って、遠心方向に案内され、不燃性シートｂを拡げる働きをするようになっている。また、ウオーターミスト噴出器３は、ここでは、格納部５の天井中央に装着されている。
【００１５】
そして、発火の際には、煙感知器２で、これを感知して、信号を防災センター６の制御系７に伝達する。制御系７では、この信号に基づいて、対応する格納部５の開閉蓋５ａを開放し、また、水槽８からの水を、ポンプ９を介して、ウオーターミスト噴出器３に供給し、ウオーターミスト噴出器３を作動させ、噴霧するのである。
【００１６】
この開閉蓋５ａの開放で、格納部５から降下した消火用落下シート４は、その不燃性シート４ｂが、錘４ｃの遠心方向への自然落下によって、拡げられながら、広い空間において、その骨組み４ａの弾性力の解放により、折り畳み状態から、図３の拡大された円形状態になり、これに連れて、不燃性シート４ｂも更に広がる。この際、落下シート４は、骨組み４ａの弾性力の解放により得られた旋回力を受け、全体として、回転状態で降下する。
【００１７】
そして、消火用落下シート４は、図６に示すように、発火原因の可燃物、例えば、置き炬燵１０の上に落下し、これを覆い、酸素補給を断つのである。しかも、その上からは、図７に示すように、ウオーターミストが降り注ぎ、可燃物の温度上昇を抑制することができる。消火用落下シートで火源を覆うことにより酸素を絶つ効果に加え、ウオーターミストの特徴として、火災の熱により水粒子が気化し、それがバリアとなって可燃物への酸素補給を絶つ効果があり、消火用落下シートとの相乗効果がある。
【００１８】
【発明の効果】
本発明は、以上詳述したようになり、室内の可燃物配置を配慮した設置位置で、室内天井部に煙感知器、ウオーターミスト噴出器、消火用落下シートを収納した格納部を設置すると共に、防災センターの制御系で、煙感知器の感知に基づき、前記ウオーターミスト噴出器を駆動し、前記格納部を開放して、前記消火用落下シートを可燃物上に落下するように制御する。従って、火災が拡大しない早期において、可燃物に対する確実な防火作用を確保できる効果が得られる。
【図面の簡単な説明】
【図１】本発明の実施の形態を示す防火装置の平面配置図である。
【図２】同じく、システムの概念的な構成図である。
【図３】同じく、消火用落下シートの骨組みを示す平面図である。
【図４】同じく、格納部の拡大縦断面図である。
【図５】同じく、格納部に設けた案内路を示す平面図である。
【図６】同じく、落下シートが可燃物を覆う状態を示す概略側面図である。
【図７】同じく、噴霧状態の概略側面図である。
【符号の説明】
１    天井部
２    煙感知器
３    ウオーターミスト噴出器
４    消火用落下シート
４ａ    骨組み
４１    関節部
４２    弾性部材
４ｂ    不燃性シート
４ｃ    錘
５    格納部
５ａ    開閉蓋
５ｂ    案内路
６    防災センター
７    制御系
８    水槽
９    ポンプ
１０    置き炬燵
【図１】
0003837802.tif 000002
【図２】
0003837802.tif 000003
【図３】
0003837802.tif 000004
【図４】
0003837802.tif 000005
【図５】
0003837802.tif 000006
【図６】
0003837802.tif 000007
【図７】
0003837802.tif 000008